(57)【特許請求の範囲】
【請求項１】
計測時間を表示する指針が係合される輪列と、
該輪列の一部に圧入固定されたハートカムと、
前記指針を帰零させるために前記ハートカムに所定の回転を与える帰零レバーと、
該帰零レバーを作動させる外部操作部材を有し、
計測開始時の前記指針の位置と最大計測時間経過時の前記指針の位置が異なるアナログクロノグラフ時計において、
前記ハートカムが、前記最大計測時間経過時に対応する回転角度を越えて回転するときに、前記ハートカムと接触するハートカム回転規制部を有する規制部材を設け、
前記ハートカム回転規制部を、前記最大計測時間経過時に対応する回転角度にある前記ハートカムに対して、所定の平面隙をもって配置した事を特徴とするアナログクロノグラフ時計。
【請求項２】
前記計測開始時の前記指針の位置と最大計測時間経過時の前記指針の位置の角度差が１８０度以下であることを特徴とする請求項１に記載のアナログクロノグラフ時計。
【請求項３】
前記ハートカム回転規制部を金属材料で形成したことを特徴とする請求項１乃至請求項２のいずれかに記載のアナログクロノグラフ時計。
【請求項４】
前記規制部材が、前記輪列の保持を行う輪列受であることを特徴とする請求項１乃至請求項３のいずれかに記載のアナログクロノグラフ時計。
【請求項５】
前記規制部材が、前記ハートカムに隣接する樹脂製の時計ムーブメントを構成する保持部材であることを特徴とする請求項４に記載のアナログクロノグラフ時計。
【請求項６】
前記帰零レバーの先端に前記ハートカムの回転方向を規制する凸部を設けたことを特徴とする請求項１乃至請求項５のいずれかに記載のアナログクロノグラフ時計。
【請求項７】
前記規制部材の前記ハートカム回転規制部を別部品として構成し、前記ハートカム回転規制部を前記輪列受又は前記保持部材に固定したことを特徴とする請求項４又は請求項５に記載のアナログクロノグラフ時計。
【発明の詳細な説明】
【技術分野】
【０００１】
本発明は、ハートカムを用いた、アナログクロノグラフ時計の構造に関する。
【背景技術】
【０００２】
従来、時計はその時刻の表示形態として、２本或いは３本の指針によって時刻を表示するアナログ表示方式と、液晶やＬＥＤに代表される電子光学的表示装置によって時刻を表示するデジタル表示方式と、前記アナログ表示方式と前記デジタル表示方式とを組み合わせたコンビネーション方式に大別できることが知られている。また、このうちアナログ方式の時計の中でも、例えば秒針やカレンダーの有無、更にはタイマー機能、クロノグラフ機能やアラーム機能、月齢表示機能等に代表される従属的な計時機能の有無を、ユーザがそれぞれの好みに合わせて選択できることも知られている。
【０００３】
このうち、アナログ表示方式のクロノグラフ時計、いわゆるアナログクロノグラフ時計は、通常の時刻を表示する指針に加えて、機能針としての小針を設け、ユーザのプッシュボタン操作により、時間計測の開始、中断、及び計測時間のリセットを行うタイプが一般的であり、通常の時刻を表示する時針、分針、及び秒針が文字板中央に配置された、いわゆるスタンダードタイプの時計とは一味異なる機能やデザインを有しており、小針の位置、デザイン、計測時間の最小単位の違いにより数々の時計が実用化されていることも知られている。
【０００４】
これらのアナログクロノグラフ時計は、その動力源として、ぜんまいの巻上げによって駆動力を得る機械式と、一次電池、或いは二次電池といった電気的なエネルギによってモータを駆動するクオーツタイプとに大別される事も知られている。
【０００５】
また、クロノグラフの計測が終了して各クロノグラフ針を基準位置へリセットする、いわゆる帰零構造については、プッシュボタンに代表される外部操作部材からの入力を、レバー及びハートカムを用いて機械的に指針を戻す帰零構造、或いは電磁的なスイッチを用いてモータを駆動して、電気的に指針を戻す帰零構造に大別できる。
【０００６】
さらに、小針の位置やデザイン、計測時間の違いによる機能としては、クロノグラフ針のスタート位置と最大計測時間の位置を一致させず、計測時間を扇形の表示とした、いわゆるレトログラード調のアナログクロノグラフ時計が挙げられる。レトログラード調のデザインを行う他の時計の例としては、クロノグラフ以外にはカレンダーや機械式時計の残容量表示などがあり、極めて多くの製品にて実現されている。
【０００７】
【非特許文献１】岩本  敏他、「サライＭｏｏｋラピタ・大人の高級腕時計」、小学館、２００３年１２月、ｐ．４２
【０００８】
以下、図を用いて従来のアナログクロノグラフ時計の時計ムーブメントの構造を説明する。図９は従来のアナログクロノグラフ時計の時計ムーブメントを裏蓋側から見た要部平面図である。図９において、１は時計ムーブメント１００の母材であり、輪列や図示しない巻真修正機構、モータなど、時計ムーブメント１００の構成部品の保持を行う板状部品である地板、２ａ及び２ｂはユーザが時計を操作する部材であるプッシュボタン、３は６０秒で１周し、１秒単位の計測時間を表示する、図示しない秒クロノグラフ針を駆動する秒クロノグラフ車、４は１分単位のクロノグラフ計測時間を表示する、図示しない分クロノグラフ針を駆動する分クロノグラフ車、４ａは分クロノグラフ針が圧入固定されている分クロノグラフ車軸、４ｂは分クロノグラフ車軸４ａに圧入固定されているハートカム、
５は秒クロノグラフ車３の回転を減速して、駆動力を分クロノグラフ車４へ伝達するクロノグラフ中間車、６は秒クロノグラフ車３、分クロノグラフ車４、クロノグラフ中間車５に代表される指針駆動用の輪列群を、地板１と挟持して保持する板状部品である輪列受、７は図示しないＩＣや水晶振動子などが実装されている回路基板、１８は分クロノグラフ車４の動きを規制し、プッシュボタン２ａ及び２ｂの操作により作動する部品である帰零レバー、９はプッシュボタン２ｂの動きにより分クロノグラフ車４を帰零させる部品である復針レバー、１０は帰零レバー１８や復針レバー９、回路ブロック７を押圧保持するプラスチックからなる図示しない回路支持台を、地板１と挟持する事により保持する板状部品であるクロノグラフ押えである。
【０００９】
図９に示すアナログクロノグラフ時計の時計ムーブメントは、そのクロノグラフ機構として、時計中心に秒クロノグラフ針、文字板側から見て１０時位置に分クロノグラフ針を配置し、秒及び分の計測時間をそれぞれ別の２つの針で表示可能な仕様となっている。また、秒クロノグラフ車３は図示しないクロノグラフモータにより駆動され、クロノグラフ中間車５を介して分クロノグラフ車４と繋がっている為、クロノグラフの秒の計測時間と分の計測時間が連動する構造となっている。
【００１０】
以下、図９に示すアナログクロノグラフ時計の作動の概略について簡単に説明する。
【００１１】
図９において、クロノグラフ計測機能が作動していない状態では、帰零レバー１８は１８０の位置にあり、その先端部１８ａは、所定のたわみをもって、所定の荷重でハートカム４ｂを押圧している。これにより、クロノグラフ計測機能が作動していない状態で、分クロノグラフ針が動いてしまわないように固定している。ここで、クロノグラフ押え１０には、節度部１０ｃが一体成形されており、節度部１０ｃが帰零レバー１８に圧入固定されたピン１８ｂに所定のたわみをもって側圧をかける事により、帰零レバー１８を１８０の位置で固定している。また、復針レバー９は、レバー本体に圧入固定された復針レバーピン９ａによって帰零レバー１８との相対位置関係が決まり、その位置は９０の状態である。この場合、プッシュボタン２ｂと所定の平面隙があるため、プッシュボタン２ｂを押してもクロノグラフは何ら動作しない。
【００１２】
図９において、プッシュボタン２ａを押せば、クロノグラフでの計測がスタートする。まずプッシュボタン２ａを押すと、プッシュボタン２ａは、クロノグラフ押え１０に一体成形された接点バネ部１０ａを介して帰零レバー１８の力点１８ｃを押す。帰零レバー１８は、地板１に圧入固定された帰零レバー軸１ａを中心に反時計回りに回動し、１８１の位置へ移動する事により、その先端部１８ａがハートカム４ｂへの押圧を解除する。また、接点バネ部１０ａは、その先端部が回路基板７に形成されたサイドスルーホール７ａに当接する事によって、図示しないＩＣへの計測開始信号が入力され、図示しないモータを駆動する事によって秒クロノグラフ車３及び分クロノグラフ車４が回転し、クロノグラフの計測が開始される。また、復針レバー９は、地板１に圧入固定された復針レバー軸１ｂを中心に回動する。復針レバー９は、復針レバーピン９ａによって帰零レバー１８と連動しており、帰零レバーが１８０の位置から１８１の位置へ移動するのに伴い、９０の位置から９１の位置へと移動する。
【００１３】
ここで、帰零レバー１８は、プッシュボタン２ａの操作により１８０の位置から１８１の位置へ移動する際に、節度部１０ｃの山形形状を乗り越える。この乗り越え動作により、プッシュボタンを押した際に所定の節度感が生じ、操作性の向上及び誤操作の防止の役割を担っている。
【００１４】
以上のように各部品が作動する事によりクロノグラフの計測が開始されるが、クロノグラフ計測中は、秒クロノグラフ車３及び分クロノグラフ車４は、図示しないクロノグラフ
モータの構成部品であるロータの保持トルクだけによって保持されている。
【００１５】
次に帰零構造について説明する。復針レバーはクロノグラフ計測中、９１の位置にある。まずプッシュボタン２ｂを押すと、プッシュボタン２ｂは、クロノグラフ押え１０に一体成形された接点バネ部１０ｂを介して復針レバー９の力点９ｂを押す。復針レバー９は復針レバー軸１ｂを中心に反時計回りに回動し、９１の位置から９０の位置へ移動する。帰零レバー１８は、復針レバーピン９ａを介して復針レバー９と連動している為、復針レバー９の位置が９１から９０へ移動するのに伴い、１８１の位置から１８０の位置へと移動する。帰零レバー１８は、１８１の位置から１８０の位置へ移動する途中で、計測時間によって任意の位置にあるハートカム４ｂを先端部１８ａによって押圧し、ハートカム４ｂが圧入固定された分クロノグラフ車軸４ａを帰零させる。また、接点バネ１０ｂは、その先端部が回路基板７に形成されたサイドスルーホール７ｂに当接する事によって、図示しないＩＣへのリセット信号が入力され、図示しないモータを駆動する事によって秒クロノグラフ車３が回転して正秒位置へと帰零させる。
【００１６】
ここで、ハートカム４ｂは、帰零レバー１８によってどちらの方向から押されるかによって帰零する方向が異なる。図９に示す例の場合は、分クロノグラフ車４は６０分で一周する６０分計である為、目安としてハートカム４ｂの回転角度が１８０°未満の場合、即ち計測時間が０分から３０分までは逆転方向で帰零する。また、計測時間が３０分から６０分までの間は、正転方向で帰零する。
【００１７】
また、分クロノグラフ車４は、分クロノグラフ歯車４ｃと分クロノグラフ軸４ａがスリップする機構を有しており、互いの位相を任意に変更する事が可能である。これにより、帰零操作の際は、分クロノグラフ車軸４ａは、係合したハートカム４ｂの動きに連動してレバーにより帰零し、分クロノグラフ歯車４ｃは秒クロノグラフ車３に連動する事により、秒クロノグラフ車３及び分クロノグラフ車４を別々に帰零させる事が可能となる。
【００１８】
このような、ハートカムを利用したクロノグラフの帰零構造に関しては、従来より様々な仕様が考案、或いは実用化されており、広く知られる所である。
【００１９】
【特許文献１】公開特許公報昭６１−８３９９２号（第２−９頁、第５図）
【特許文献２】実用新案第２６０５６９６号（第１図）
【発明の開示】
【発明が解決しようとする課題】
【００２０】
ここで、レトログラード調の扇形デザインのアナログクロノグラフ時計の時計ムーブメントを、ハートカムを用いた機械式帰零構造を用いて製造する場合は、様々な問題点が生じる。
【００２１】
まず、商品の性格上、これら扇形の針の動きを強調したクロノグラフ計測を特徴とするデザインでもあり、クロノグラフの帰零も、扇形の範囲を通って帰零させる必要がある。しかしながら、前述したように、ハートカムは、帰零レバーによってどちらの方向から押されるかによって帰零する方向が異なる為、ハートカムの位置によっては帰零動作の際、正転で帰零する場合が生じる。この場合、デザイン上、クロノグラフの作動範囲にしか目盛は存在しない為、目盛がない方向で帰零するのは商品の魅力を著しく損なう事となる。
【００２２】
また、扇針の動きを強調するために、長尺のクロノグラフ針を用いる場合、正転方向で帰零させるとクロノグラフ針が中心部にある秒クロノグラフ針及び時刻系の時分針と干渉
して、物理的に帰零できない場合も生じる。
【００２３】
これを防止し、必ず逆転方向、即ち扇形の切分が形成されている範囲で帰零させる為には、例えばハートカムを左右非対称形にして、必ず逆転で帰零させる構造も考えられる。しかしながら、ハートカムを左右非対称な形状とした場合、加工上の寸法管理が非常に困難となる。また、レバーの衝撃を受けて帰零する部品である事から、材質的にもレバーの衝撃により変形などを生じる事がないよう、特殊鋼などの材料を使用しており、焼入や焼戻しなどの多くの工数がかかる部品であり、加工自体も難しい。
【００２４】
また、クロノグラフの最大計測時間自体は、回路に内蔵したタイマーにより、最大計測時間を経過した時点で自動的に停止させる事が可能である。しかしながら、図９で説明したように、クロノグラフの計測中は、クロノグラフ輪列群はクロノグラフモータの構成部品であるロータの保持トルクだけで保持されている為、例えば計測中に衝撃が加わり、衝撃力が保持トルクを超えてしまった場合は、クロノグラフ輪列がずれてしまう場合も生じる。この結果、ハートカムが逆転不可能な位置までずれてしまうと、前述した如く、帰零時に正転で帰零してしまったり、針の長さによってはクロノグラフ針が中心部の針と干渉して止まってしまう場合も生じる。
【００２５】
このように、従来の技術では、既存のハートカムを使用して扇針表示が可能なアナログクロノグラフ時計の時計ムーブメントを製造するのが難しいという課題があった。本発明の目的は、上述の欠点を解消すべく、加工の難しいハートカムは共通使用しつつ、簡便な構造により扇形表示が可能なアナログクロノグラフ時計の時計ムーブメントを提供することである。
【課題を解決するための手段】
【００２６】
前述した目的を達成するための本発明の主旨は、計測時間を表示する指針が係合される輪列と、該輪列の一部に圧入固定されたハートカムと、前記指針を帰零させるために前記ハートカムに所定の回転を与える帰零レバーと、該帰零レバーを作動させる外部操作部材を有し、計測開始時の前記指針の位置と最大計測時間経過時の前記指針の位置が異なるアナログクロノグラフ時計において、前記ハートカムが、前記最大計測時間経過時に対応する回転角度を越えて回転するときに、前記ハートカムと接触するハートカム回転規制部を有する規制部材を設け、前記ハートカム回転規制部を、前記最大計測時間経過時に対応する回転角度にある前記ハートカムに対して、所定の平面隙をもって配置した事を特徴とする。
【００２７】
これにより、前記指針が最大計測時間経過時の位置にいる時に、落下等の衝撃が加わることによりハートカムが回転しようとしても、ハートカム回転規制部によってハートカムの回転を逆転で帰零できる範囲に停止（規制）できるため、衝撃等によってクロノグラフ針、即ちハートカムの位相がずれてしまった場合でも、確実に帰零が可能なレトログラード調表示のアナログクロノグラフ時計を提供する事が可能となる。
【００２８】
また、前記計測開始時の前記指針の位置と最大計測時間経過時の前記指針の位置との角度差が１８０度以下であることを特徴とする。
【００２９】
前記角度差を１８０度以下に設定することにより、ハートカム回転規制部によって規制されるハートカムの停止範囲も最大でも略１８０度に設定できる為、衝撃等によってクロノグラフ針、即ちハートカムの位相がずれてしまった場合でも、確実に帰零させることができる。
【００３０】
また、前記ハートカム回転規制部を金属材料で形成したことを特徴とする。
【００３１】
これにより、落下等の衝撃が加わることによりハートカムが回転し、前記ハートカムと前記ハートカム回転規制部とが衝突しても、前記ハートカム回転規制部が金属材料で形成
されているため、変形や破損が発生することのないレトログラード調のアナログクロノグラフ時計を提供する事が可能となる。
【００３２】
また、前記規制部材が前記輪列の保持を行う輪列受であることを特徴とする。
【００３３】
これにより、特別に新規な部品を追加する必要もなく特別なスペースが不要で、しかもクロノグラフ輪列の近傍の部品で前記ハートカムを規制する前記ハートカム回転規制部を構成することができる。
【００３４】
また、前記規制部材が、ハートカムに隣接する樹脂製の時計ムーブメントを構成する保持部材であることを特徴とする。
【００３５】
これにより、特別に新規な部品を追加する必要もなく特別なスペースが不要で、しかもクロノグラフ輪列の近傍の部品でハートカムを規制する前記ハートカム回転規制部を構成することができる。
【００３８】
また、前記帰零レバーの先端に前記ハートカムの回転方向を規制する凸部を設けたことを特徴とする。
【００３９】
これにより、前記帰零レバーの先端に設けた前記凸部が前記ハートカムを一方向に押すことが可能となり、ハートカムを確実に逆転で帰零させることができる。
【００４２】
また、前記規制部材の前記ハートカム回転規制部を別部品として構成し、前記ハートカム回転規制部を前記輪列受又は前記保持部材に固定したことを特徴とする。
【００４３】
これにより、例えば、輪列受自体は他の製品の部品を流用し、ピンの圧入工程の有無によって複数仕様の製品で共通使用する事により、金型等を新規製作することなく、複数仕様の製品への部品の共通使用が可能となる。
【発明の効果】
【００４４】
本発明によって、アナログクロノグラフムーブメントのうち、最も加工が難しいハートカムは既存の部品を共通使用しつつ、クロノグラフのスタート時の針位置と最大計測時間の針位置が異なる、レトログラード調の扇針表示仕様の製品において、クロノグラフ針を確実に逆転帰零させる構造を簡便な方法で実現可能となる。
【発明を実施するための最良の形態】
【００４５】
本発明の詳細について、以下図面に基づいて詳述する。
【実施例１】
【００４６】
図１〜図６は、本発明の第一の実施形態を示すアナログクロノグラフ時計とその時計ムーブメントの概略図で、図１はアナログクロノグラフ時計の平面図、図２は図１のアナログクロノグラフ時計の時計ムーブメントを裏蓋側から見た時の時計ムーブメントの要部平面図であって、クロノグラフが作動していない状態を示し、図３は図２の分クロノグラフ車周辺の断面高さの関係を示す概略部分断面図、図４は図２の時計ムーブメントにおいてクロノグラフ針が最大計測時間まで作動した状態を示す時計ムーブメントの要部平面図、図５は図２の時計ムーブメントにおいて衝撃等によってクロノグラフ針がオーバーランした状態を示す時計ムーブメントの要部平面図、図６は、図２、図４および図５に示した時計ムーブメントの要部拡大図で、（ａ）はクロノグラフの停止状態、（ｂ）はクロノグラフの最大計測時間での状態、（ｃ）はクロノグラフがオーバーランした状態を示す。
【００４７】
図１に示すように本発明のアナログクロノグラフ時計は、カレンダー付のアナログタイプのクオーツクロノグラフムーブメントを使用しており、通常時刻を示す時針、分針、秒針といった時刻を示す指針の他に、時計の中心部に１秒単位で時間計測が可能な秒クロノグラフ針３ｂ、１０時位置に最大３０分まで時間計測が可能な分クロノグラフ針４ｄを有している。なお、本実施例では、分クロノグラフ針４ｄは最大３０分まで計測可能であり、その表示範囲は図１に示す如く、計測開始時の分クロノグラフ針４ｄの位置と最大計測時間経過時の分クロノグラフ針４ｄの位置の角度差は１８０度であり、１８０度の扇形の表示範囲の例を示した。
【００４８】
なお、秒クロノグラフ針３ｂ以外の時計の中心部の２本の指針は現在時刻を示す時分針、６時位置の小指針は１秒単位で運針して現在秒を示す小秒針、２時位置の小指針は現在時刻を表示する２４時間針であるが、本発明には直接関連しないので詳細な説明は省略する。
【００４９】
図１及び図２において、１は時計ムーブメント２０の母材であり、輪列や図示しない巻真修正機構、モータなど、時計ムーブメント２０の構成部品の保持を行う板状部品である地板、２ａ及び２ｂはユーザが時計を操作する部材であるプッシュボタン、３は６０秒で１周し、１秒単位の計測時間を表示する秒クロノグラフ針３ｂを駆動する秒クロノグラフ車、４は１分単位のクロノグラフ計測時間の計測結果を前記扇形の表示範囲内で表示する分クロノグラフ針４ｄを駆動する分クロノグラフ車、４ａは分クロノグラフ針４ｄが圧入固定される分クロノグラフ車軸、４ｂは計測時間を表示する輪列の一部である分クロノグラフ車４の分クロノグラフ車軸４ａに圧入固定されたハートカム、５は秒クロノグラフ車３の回転を減速して駆動力を分クロノグラフ車４へ伝達するクロノグラフ中間車、６は秒クロノグラフ車３、分クロノグラフ車４、クロノグラフ中間車５に代表される指針駆動用の輪列群を、地板１と挟持して保持する板状部品である輪列受である。
【００５０】
７は図示しないＩＣや水晶振動子などが実装されている回路基板、８は分クロノグラフ車４の動きを規制し、分クロノグラフ針４ｄを帰零させるためにハートカム４ｂに所定の回転を与える帰零レバー、２ａ及び２ｂは帰零レバーを作動させる外部操作部材であるプッシュボタン、９はプッシュボタン２ｂの動きにより分クロノグラフ針４ｄを帰零させる部品である復針レバー、１０は帰零レバー８や復針レバー９、回路ブロック７を押圧保持するプラスチックからなる図示しない回路支持台を、地板１と挟持する事により保持する板状部品であるクロノグラフ押えである。なお、その他、図９と同一構成部品に関しては同一番号を付して、その説明を省略する。
【００５１】
図１及び図２において、秒クロノグラフ針３ｂは、秒クロノグラフ車３に圧入固定されており、図示しないクロノグラフモータによって駆動される。また、分クロノグラフ針４ｄは、分クロノグラフ車４の軸４ａに圧入固定されており、クロノグラフ中間車５により秒クロノグラフ車３と連動する。これにより、クロノグラフ計測時は、秒クロノグラフ針３ｂは１秒単位、分クロノグラフ針４ｄは１分単位で計測時間を表示し、双方の針３ｂ、４ｄは連動して動くようになっている。
【００５２】
また、本実施例のアナログクロノグラフ時計の時計ムーブメント２０は、図示しないＩＣに、クロノグラフの計測時間を計数するタイマーを有しており、最大計測時間の３０分が経過した時点で、図示しないクロノグラフモータの駆動を停止させる。これにより、クロノグラフ針３ｂ、４ｄは３０分で自動的に停止する。
【００５３】
また、ハートカム４ｂは分クロノグラフ車軸４ａに圧入固定されているが、ハートカム４ｂの部品自体は正転可能な形状をしており、図９に示す従来例のアナログクロノグラフ時計の時計ムーブメントと同一の部品を共通使用している。
【００５４】
図２において、帰零レバー８の先端部８ａには、図９に示した従来例とは異なり、ハートカム４ｂの回転方向を規制する凸部８ｄが設けられている。図２は図１の時計を裏蓋側から見た図である為、分クロノグラフ車４は図２では左回り（反時計回り）に駆動するが、帰零レバー８の凸部８ｄは、ハートカム４ｂを、いわば抱え込んで逆転帰零させるような凸形状となっている。
【００５５】
即ち、最大計測時間の３０分が経過した時点で図示しないＩＣからの駆動信号を停止する事によりクロノグラフの計測を終了するが、この場合のハートカム４ｂは、図２に示す位置から図４に示す位置（図６（ｂ）に示す位置から図６（ａ）に示す位置）までの１８０°回転した位置まで移動している。ここで、帰零のためにプッシュボタン２ｂを押すと、プッシュボタン２ｂは、接点バネ１０ｂを介して復針レバー９の力点９ｂを押す。これにより復針レバー９は、復針レバー軸１ｂを介して回転し、復針レバーピン９ａによって帰零レバー８を回転させる。
【００５６】
この時、帰零レバー８の先端部８ａがハートカム４ｂを押す事により分クロノグラフ車４を帰零させるのだが、先端部８ａが図９に示す従来例のようなストレート形状だと、互いの部品の加工精度や部品の位置精度などの影響で、ハートカム４ｂの頂点の左右のどちら側から押されるかが不明であり、ハートカム４ｂを正転方向で帰零させる場合も生じる。これに対して本発明では、図４（あるいは図６（ｂ））に示す如く、帰零レバー８の先端部８ａに形成した凸部８ｄが、ハートカム４ｂの正転帰零方向を妨害する方向に突出している為、ハートカム４ｂを必ず図６（ｂ）で示す右回り、即ち指針を逆転方向４０に帰零させる事が可能となる。これにより、確実にハートカム４ｂを逆転帰零させる事が可能となる。
【００５７】
本実施例のアナログロノグラフ時計では、基本的には最大計測時間になると図示しないＩＣが図示しないクロノグラフモータの駆動を停止させる事によりクロノグラフの計測を終了させる構造となっているが、クロノグラフの作動中は前述したように、クロノグラフモータのロータの保持トルクのみで保持されている。従って、クロノグラフの作動中に落下等の衝撃により、ロータの保持トルク以上の強い衝撃力が加わった場合は、指針がずれてしまう可能性がある。これらの極めて強い衝撃により、分クロノグラフ針４ｄのずれ量が、帰零レバー８がハートカム４ｂを逆転帰零させる限界を超えてしまった場合は、前述したように帰零レバー８に凸部８ｄを形成しても、ハートカム４ｂを正転方向に押して帰零させてしまう危険性もある。また、最悪の場合はハートカム４ｂを分クロノグラフ車４の中心軸方向へ押してしまい、ハートカム４ｂが正転帰零も逆転帰零する事もできずにそ
の場でロックして止まってしまう危険性もある。
【００５８】
これに対して本発明では、図２および図３に示す如く、秒クロノグラフ車３、分クロノグラフ車４、クロノグラフ中間車５に代表される輪列群を軸支する板状部品である輪列受６に穴６ａを形成し、この穴６ａにハートカム４ｂの回転角度を規制するハートカム回転規制部１６ｂを有する規制ピン１６を圧入固定し、ハートカム４ｂと所定の断面隙をもって配置される輪列受６を規制部材として兼用しているのが特徴である。ハートカム回転規制部１６ｂを構成する規制ピン１６は、金属材料で形成されており、図３に示す如く、段付形状をしており、押込み作業の安定化に寄与している。
【００５９】
また、規制ピン１６のハートカム回転規制部１６ｂは、図３に示す如く、ハートカム４ｂと断面的にオーバーラップする位置に配置しているのが特徴である。即ち、衝撃が加わってハートカム４ｂが正転方向にずれた場合も、ハートカム回転規制部１６ｂによってハートカム４ｂを規制して停止させる事により、限界以上にハートカム４ｂがずれるのを防止することができる。
【００６０】
その詳細を以下に説明する。輪列受６には、図６（ａ）に示すように、クロノグラフが作動していない状態では、圧入固定したハートカム回転規制部１６ｂの最外周部が、ハートカム４ｂと所定の平面隙１１ａを確保する位置に穴６ａが形成され、規制ピン１６が圧入固定されている。従って、平面隙１１ａが確保されている為、規制ピン１６の影響を受けないからハートカム４ｂの位相は、必ず帰零レバー８の先端部８ａの初期たわみによって位置決めされる事となる。また、図６（ｂ）に示すように、クロノグラフ計測開始後、最大計測時間を経過してクロノグラフが停止した場合も、ハートカム４ｂとハートカム回転規制部１６ｂの間には、所定の平面隙１１ｂが確保されている。
【００６１】
このように、ハートカム４ｂとハートカム回転規制部１６ｂの間に平面隙１１ａ及び１１ｂを確保する事で、各部品の加工誤差や輪列受６と分クロノグラフ車軸４ａの軸ガタなどによるハートカム４ｂの位置誤差を吸収している。即ち、このハートカム回転規制部１６ｂは、万が一衝撃などにより分クロノグラフ車４が位置ずれを起こした際の保険の意味合いであり、通常のクロノグラフ使用時は、帰零レバー８によってハートカム４ｂの位置を決定する事が望ましい。
【００６２】
この平面隙１１ａ及び１１ｂが確保されない構造、クロノグラフ作動時に常にハートカム４ｂがハートカム回転規制部１６ｂに接触する構造も、原理としては可能である。但し、突発的な衝撃等を受けない通常のクロノグラフ使用時にも、帰零動作の際にはハートカム４ｂは必ずハートカム回転規制部１６ｂに衝突して停止するため、帰零動作の繰り返しによってハートカム４ｂまたはハートカム回転規制部１６ｂが摩耗して帰零動作が不安定となる危険性がある。また、大衝撃を受けた場合にハートカム回転規制部１６ｂが圧入固定した輪列受から抜けたりする恐れもある。
【００６３】
また、輪列受６の穴６ａの位置精度、ハートカム回転規制部１６ｂの直径の精度が狂うと、クロノグラフの最大計測時間が経過する前にハートカム４ｂがハートカム回転規制部１６ｂに接触してしまい、それ以上の計測が不可能となる場合もある。即ち、本製品の例で述べると、最大計測時間の３０分を経過する前に分クロノグラフ針４ｄが扇形の目盛の途中、例えば２９分の前後で停止してしまう可能性があるなど、製品としての基本的な機能を阻害する可能性もある。これらの理由により、ハートカム４ｂとハートカム回転規制部１６ｂとの平面隙１１ａ及び１１ｂは、各構成部品の加工誤差の吸収及び作動の安定性を考慮すると、必ず確保する必要がある。
【００６４】
次に、クロノグラフ作動中に衝撃が加わり、ハートカム４ｂが正転方向にずれてしまっ
た場合の概略を図５および図６（ｃ）に示す。この場合、分クロノグラフ車４が正転方向にずれるため、分クロノグラフ車軸４ａに圧入固定されたハートカム４ｂは衝撃により正転方向にオーバーランしてしまっているが、ここでハートカム４ｂが規制ピン１６のハートカム回転規制部１６ｂによって規制され、これ以上分クロノグラフ車４が過回転する事を防止している。これにより、分クロノグラフ車４はこれ以上回転せず、その場で停止した状態となる。この状態でプッシュボタン２ｂを押すと、復針レバー９を介して帰零レバー８が作動し、ハートカム４ｂを帰零させる動作を行う。ここで、ハートカム４ｂは、帰零レバー８の先端の凸部８ｄによって逆転方向４０に力がかけられる為、確実に逆転帰零させる事が可能である。
【００６５】
なお、落下等の衝撃が加わることによりハートカム４ｂが回転し、前記ハートカム４ｂと前記ハートカム回転規制部１６ｂとが衝突しても、前記ハートカム回転規制部１６ｂが金属材料で形成されているため、変形や破損が発生することはない。
【００６６】
また、本実施例では、計測開始時の分クロノグラフ針４ｄの位置と最大計測時間経過時の分クロノグラフ針４ｄの位置の角度差は１８０度としたが、１８０度以下にすれば、ハートカム回転規制部１６ｂによって規制されるハートカム４ｂの停止範囲も最大でも略１８０度に設定できる為、衝撃等によって分クロノグラフ針４ｄ、即ちハートカム４ｂの位相がずれてしまった場合でも、帰零レバー８の先端の凸部８ｄによって逆転方向４０にハートカム４ｂを確実に帰零させることができるため、前記角度差は１８０度以下が望ましい。
【００６７】
実際には、ハートカム４ｂ自身が正転帰零可能な形状である以上、帰零レバー８の先端に凸部８ｄを形成しても、ハートカム４ｂが逆転でなく正転で帰零するポイントは存在する。しかしながら、ハートカム４ｂが正転で帰零するポイントまで回転する前にハートカム回転規制部１６ｂによって規制されるため、製品として正転で帰零する事はない。なお、本実施例の輪列受６は、他のアナログクロノグラフ時計の時計ムーブメントで使用している輪列受６に穴６ａを追加した形状となっている。
【００６８】
図７は、本発明のアナログクロノグラフ時計の時計ムーブメントの輪列受６を共通使用した他のアナログクロノグラフ時計の時計ムーブメントを裏蓋側から見た要部平面図を示す。ここで、輪列受６は、別部品として構成したハートカム回転規制部６ｂを有する規制ピン１６を穴６ａから削除した以外は、外周形状、保持する輪列６の穴６ａ位置などを含め、全く共通の形状をしている。図７の時計ムーブメントは、クロノグラフの最大計測時間が６０分であり、分クロノグラフ車４は６０分で一周する。即ち、従来例である図９に示したアナログクロノグラフ時計と同じく、ハートカム４ｂの位置によっては、分クロノグラフ車４は正転で帰零する場合もあり、その目安範囲は３１分から５９分までとなっている。
【００６９】
従って、正転で帰零する場合がある為、ハートカム回転規制部６ｂを有する規制ピン１６は配置しない形となっているが、輪列受６の部品そのものは穴６ａがあいた状態で使用可能であり、部品の共通化が図れている。これにより、新規で金型を起こしたり、共通の金型で穴６ａの抜き加工の有無によって部品を非共通使用する事なく、最小の初期投資で複数仕様のアナログクロノグラフムーブメントを生産可能となり、その効果は極めて大きい。
【実施例２】
【００７０】
以下、本発明の実施例２を図面に基づいて詳述する。図８は、本発明を適用した第二の実施形態であるアナログクロノグラフ時計の時計ムーブメント３０の、分クロノグラフ車４周辺の要部断面図である。
【００７１】
図８において、ハートカム４ｂは、輪列受６に対して分クロノグラフ歯車４ｃを挟んだ位置に配置されている。この場合、実施例１の如く、輪列受６にハートカム回転規制部１６ｂを構成する規制ピン１６を追加する事は不可能であるが、ハートカム４ｂに隣接する、時計ムーブメントを構成する保持部材であり、樹脂製の成形部品である回路支持台１２に、ハートカム回転規制部１２ａを構成する規制ピン１６を圧入固定し、回路支持台１２を規制部材として兼用しているのが特徴である。
【００７２】
これにより、輪列受６でなくとも、ハートカム４ｂと断面的に重なる位置にハートカム回転規制部１２ａを配置する事が可能となり、実施例１と同様の効果を得る事ができる。なお、動作に関しては実施例１と同様であり、詳細な動作説明は省略する。
【００７３】
ここで、回路支持台は高分子樹脂による射出成形によって形成する為、ハートカム回転規制部１２ａは、回路支持台１２と一体化した形状として成形する事も可能である。しかしながらハートカム回転規制部１２ａは、使用時に衝撃を受けた場合にハートカム４ｂのオーバーランを防止する為の形状であり、衝撃による破壊や変形が生じる恐れがある事から、回転規制部１６ｂを構成する規制ピン１６の材質は金属である事が望ましい。即ち、実施例２の如く、規制部を高分子樹脂品で形成する場合も、金属製の別部品を圧入固定する構造とした方が耐衝撃面では安全と言える。
【００７４】
以上、本発明の実施形態を説明したが、本発明は上記内容に限定されるものではなく、例えばサッカータイマーなど最大計測時間が４５分の製品や、バスケットボールタイマーなど、最大計測時間が１０分の製品にも適用可能であり、その応用範囲は極めて広いと言える。
【図面の簡単な説明】
【００７５】
【図１】本発明の第一の実施形態を示すアナログクロノグラフ時計の平面図である。
【図２】図１のアナログクロノグラフ時計の時計ムーブメントを裏蓋側から見た時の時計ムーブメントの要部平面図である。
【図３】図２の分クロノグラフ車周辺の断面高さの関係を示す概略部分断面図である。
【図４】図２の時計ムーブメントにおいてクロノグラフ針が最大計測時間まで作動した状態を示す時計ムーブメントの要部平面図である。
【図５】図２の時計ムーブメントにおいて衝撃等によってクロノグラフ針がオーバーランした状態を示す時計ムーブメントの要部平面図である。
【図６】図２、図４および図５に示した時計ムーブメントの要部拡大図で、（ａ）はクロノグラフの停止状態、（ｂ）はクロノグラフの最大計測時間での状態、（ｃ）はクロノグラフがオーバーランした状態を示す。
【図７】本発明のアナログクロノグラフ時計の時計ムーブメントの輪列受６を共通使用した他のアナログクロノグラフ時計の時計ムーブメントを裏蓋側から見た要部平面図である。
【図８】本発明を適用した第二の実施形態示すアナログクロノグラフ時計の時計ムーブメント３０の、分クロノグラフ車４周辺の要部断面図である。
【図９】従来のアナログクロノグラフ時計の時計ムーブメントを裏蓋側から見た要部平面図である。
【符号の説明】
【００７６】
１  地板
１ａ  帰零レバー軸
１ｂ  復針レバー軸
２ａ  プッシュボタン（２時位置）
２ｂ  プッシュボタン（４時位置）
３  秒クロノグラフ車
３ａ  秒クロノグラフ針
４  分クロノグラフ車
４ａ  分クロノグラフ車軸
４ｂ  ハートカム
４ｃ  分クロノグラフ歯車
４ｄ  分クロノグラフ針
５  クロノグラフ中間車
６  輪列受
６ａ  輪列受穴
７  回路基板
８  帰零レバー
８ａ  帰零レバー先端部
８ｂ  帰零レバーピン
８ｃ  帰零レバー力点
８ｄ  帰零レバー先端凸部
９  復針レバー
９ａ  復針レバーピン
９ｂ  復針レバー力点
１０  クロノグラフ押え
１０ａ  クロノグラフ押え接点部
１０ｂ  クロノグラフ押え接点部
１０ｃ  クロノグラフ押え節度バネ部
１１ａ  クロノグラフ停止時の平面隙
１１ｂ  クロノグラフ作動時の平面隙
１２  回路支持台
１２ａ  ハートカム回転規制部
１６  規制ピン
１６ｂ  ハートカム回転規制部
１８  帰零レバー
１８ａ  帰零レバー先端部
１８ｂ  帰零レバーピン
１８ｃ  帰零レバー力点
２０  時計ムーブメント
３０  時計ムーブメント
４０  逆転方向
９０  クロノグラフ停止時の復針レバー位置
９１  クロノグラフ作動時の帰零レバー位置
１００  時計ムーブメント
１８０  クロノグラフ停止時の帰零レバー位置
１８１  クロノグラフ作動時の帰零レバー位置
【図１】
0004647231.tif 000002
【図２】
0004647231.tif 000003
【図３】
0004647231.tif 000004
【図４】
0004647231.tif 000005
【図５】
0004647231.tif 000006
【図６】
0004647231.tif 000007
【図７】
0004647231.tif 000008
【図８】
0004647231.tif 000009
【図９】
0004647231.tif 000010